(57)【要約】【課題】タッチパネル装置には、押し間違いを防ぐ手段がなく、小さな子供が無造作にタッチパネル装置に触っても反応してしまう。【解決手段】タッチパネル装置に、指が触れている位置や面積を感知するセンサ、温度を感知するセンサ、圧力を感知するセンサを装置に組み込む。この構成により、金属やプラスチックなどの人以外のものの場合、タッチパネル装置の誤動作が発生しない事を目的としている。また面積が規定値以上の場合、機器制御プログラムＭＭ２は実行される。【選択図】図２
2006195864.tif 000002
【特許請求の範囲】
【請求項１】
操作指令を入力するタッチパネル部と、位置、面積、圧力または温度などを検知するセンサ部と、入出力を制御する入出力制御部と、制御プログラムを格納する主記憶メモリと、情報を表示する液晶表示部とを備えたタッチパネル装置であって、前記センサ部の判定基準を満たさない場合は発行されたコマンドの実行を停止する事を特徴とするタッチパネル装置。
【請求項２】
センサ部をタッチパネル部の面以外に設置し、前記センサ部に触れていないと前記タッチパネル装置の制御ができない事を特徴とする請求項１記載のタッチパネル装置。
【発明の詳細な説明】
【技術分野】
【０００１】
本発明は、タッチパネルを利用した機器制御装置に関するものである。
【背景技術】
【０００２】
近年、モニターや液晶ディスプレイの前面にタッチパネル入力装置を用いる事でユーザのマンマシンインターフェースを向上させる商品が出てきている。そこで図面を参照しながら、従来の技術の一例について説明を行う。
【０００３】
図１は従来のタッチパネル装置のブロック図である。図１において１はタッチパネル装置本体であり、２は装置全体を制御するＣＰＵであり、３は制御プログラムを格納する主記憶メモリである。４はコマンドを発行するためのタッチパネル部であり、タッチパネル面にユーザが触れる事でコマンドを発行する。５はユーザがタッチパネル面に触れた位置を検出する位置センサであり、６はコマンド入力や表示情報を制御する入出力制御部であり、７は情報を表示する液晶表示部である。ユーザがタッチパネル部４に触れる事により発行されたコマンド（ＴＰ）は位置センサ５で位置情報（ＬＰ）を付加して入出力制御部６に渡される。全体を制御するＣＰＵ２は入出力制御部６からの情報（ＲＴＸ）から位置情報を読み取り、主記憶メモリ３に格納されたプログラム（ＭＭ）を呼び出して実行する。実行結果は入出力制御部６を経由して液晶表示部７に情報（ＤＰ）として表示される。
【特許文献１】特開平５−１２２７７９号公報
【発明の開示】
【発明が解決しようとする課題】
【０００４】
しかしながら上記の構成では、機器制御を行う入力手段であるタッチパネル装置は、パネル面の何処に触れているかの情報は得られるが、機器制御する意思があってパネル面に触れているのか、触れている物体は何なのかが判断できない。そのため、誤ってタッチパネルに物体が触れる事で機器が誤動作してしまう。
【課題を解決するための手段】
【０００５】
本発明のタッチパネル装置は、上記課題を解決するために、操作指令を入力するタッチパネル部と、位置、面積、圧力または温度などを検知するセンサ部と、入出力を制御する入出力制御部と、制御プログラムを格納する主記憶メモリと、情報を表示する液晶表示部とを備えたもので、このセンサ部の判定基準を満たさない場合は発行されたコマンドの実行を停止する事を特徴とするものである。
【発明の効果】
【０００６】
本発明のタッチパネル装置では、前記センサ部の判定基準を満たさない場合は発行されたコマンドの実行を停止するもので、タッチパネル装置は誤動作を起こしうる状態に対し、様々なセンサによりその誤動作を未然に防ぐ事を可能にしたものである。
【発明を実施するための最良の形態】
【０００７】
（実施の形態１）
以下に本発明の実施の形態１におけるタッチパネル装置のブロック構成図を用いて説明する。２０はタッチパネル装置本体であり、２１は装置全体を制御するＣＰＵであり、２２は制御プログラムを格納する主記憶メモリである。２３はユーザからのコマンド入力を受け付けるタッチパネル部であり、２４は情報を表示するための液晶表示部である。２５はタッチパネル部２３に接触する事により入力されたコマンドが正しい位置にあるかを測定する位置センサであり、２６は接触した物体の面積を測定する面積センサであり、２７は接触した物体がタッチパネル部２３にかけている圧力を測定する圧力センサであり、２８は接触した物体の温度を測定する温度センサである。
【０００８】
２９はタッチパネル部２３から入力されたコマンドと各種センサから来る情報をＣＰＵ２１に伝え、ＣＰＵ２１で処理された情報を液晶表示部２４に表示する入出力制御部である。図３はタッチパネル装置を用いて機器制御操作を示した図である。３１はタッチパネル面であり、３２はタッチパネル面３１に表示されたプログラムＡの実行ボタンであり、３３はプログラムＢの実行ボタンであり、３４はプログラムＡを実行するユーザである。
【０００９】
３５はユーザ３４がプログラムＡを実行するときにタッチパネル面３１に接触する面積である。ユーザ３４はタッチパネル面３１上にあるプログラムＡ３２とプログラムＢ３３の中からプログラムＡ３２を選ぶ。図４はタッチパネル装置２０の位置センサ２５を用いてプログラムを実行する仕組みを表した図である。タッチパネル面はＸ軸Ｙ軸方向に細かいマトリクス状に展開されている。４０はプログラムＡ３２の実行ボタンの範囲外に存在し、４１は範囲内に存在する。ユーザ３４は座標４０に触れても何もプログラムを実行しないが、座標４１に触れる事で位置センサ２６により測定位置にあるプログラムＡ３２を実行する事ができる。
【００１０】
図５はユーザ３４がプログラムＡ３２を実行したときに接触する位置と面積を表した図であり、５０はタッチパネル面３１を構成する最小単位のセンサであり、５１はユーザ３４がプログラムＡ３２を実行するために触れる面積を表す。その場合の接触面積の中心座標４１がプログラムＡ３２の実行ボタンの範囲内にある場合はプログラムを実行できる。図６は本発明で使用するプログラムフローであり、図２のブロック構成図を用いて機器制御の手順を説明する。
【００１１】
図２において、ユーザ３４はタッチパネル部２３に機器制御の入力コマンドＴＰ２を入力する（Ｓ６０）。ＣＰＵ２１は位置センサ２５から得た情報ＬＳから、接触した物体の中心座標を割り出し、座標上に実行できる機器制御プログラムが存在するかを判断する（Ｓ６１）。正しくない場合は機器制御プログラムをキャンセルする（Ｓ６６）。正しい場合は主記憶メモリ２２に格納されている機器制御プログラムＭＭ２を選択する（Ｓ６２）。
【００１２】
次にＣＰＵ２１は面積センサ２６から得た情報ＡＳ２から、接触した物体の接触面積が規定値以上であるかを判断する（Ｓ６３）。規定値以下であれば機器制御プログラムＭＭ２をキャンセルする（Ｓ６６）。
【００１３】
当発明は接触する物体をユーザの指であると仮定し、例え幼児の指がタッチパネル装置に触れたとしても誤動作が発生しない事を目的としている。また面積が規定値以上の場合、ＣＰＵ２１は圧力センサ２７から得た情報ＰＳから、接触した物体がタッチパネル面にある一定の圧力をかけた上で機器制御プログラムを実行させようとしているかを判断する（Ｓ６４）。
【００１４】
規定値以下であれば機器制御プログラムＭＭ２をキャンセルする（Ｓ６６）。当発明は物体がタッチパネル面に触れたのみの場合、タッチパネル装置の誤動作が発生しない事を目的としている。また圧力が規定値以上の場合、ＣＰＵ２１は温度センサ２８から得た情報ＨＳから、接触した物体の温度が規定値以上であるかを判断する（Ｓ４５）。規定値以下であれば機器制御プログラムＭＭ２をキャンセルする（Ｓ６６）。
【００１５】
本発明は物体が金属やプラスチックなどの人以外のものの場合、タッチパネル装置の誤動作が発生しない事を目的としている。また面積が規定値以上の場合、機器制御プログラムＭＭ２は実行される（Ｓ６７）。
【００１６】
このような構成と処理内容にすることにより、誤動作を起こさないタッチパネル装置を実現する事ができる。
【００１７】
（実施の形態２）
以下に本発明の実施の形態２におけるタッチパネル装置のブロック構成図２を用いて説明する。ブロック図としては実施の形態１の構成と同一であるので、構成要素についての説明は省略する。（実施の形態１）ではタッチパネル面に付加されたセンサの判断によって機器制御プログラムの誤動作を防止した。しかし、本実施の形態では、タッチパネル装置本体にセンサを設け、常にタッチパネル装置に触れながらでないと機器制御プログラムが実行できないようにした。
【００１８】
図７は本実施の形態における使用例を示したものである。７０は本実施の形態におけるタッチパネル装置であり、７１はタッチパネル装置７０に付加したセンサである。３４は操作するユーザの手であり、７２は操作するユーザのもう一方の手であり且つタッチパネル装置７０に付加されたセンサ７１に触れているものとする。上記のようにタッチパネルを操作することにより、タッチパネル装置を持ちながらのボタンＡ機器制御プログラムの実行を義務付ける事ができ、ボタンＡの誤動作を防ぐ事ができる。
【００１９】
（実施の形態３）
以下に本発明の第３の実施の形態におけるタッチパネル装置のブロック構成図を用いて説明する。ブロック図としては（実施の形態１）の構成と同一であるので、構成要素についての説明は省略する。（実施の形態１）ではタッチパネル面に付加されたセンサの判断によって機器制御プログラムの誤動作を防止した。しかし本実施の形態では、タッチパネル面に誤動作防止ボタンを配置し、そのボタンを押す事で以後のいかなる機器制御プログラムの実行を防止するものとする。さらに誤動作防止状態を回避するには、同じ位置に存在する解除ボタンを規定値以上の圧力で触れる事により回避する事ができる。
【００２０】
図８は本実施の形態における使用例を示したものである。８０はタッチパネル面に配置された誤動作防止ボタンであり、誤動作防止ボタン８０を規定値以上の圧力で触れる事で誤動作防止状態となる。８１は誤動作防止状態になったときに表示される誤動作防止解除ボタンであり、誤動作防止ボタン８０と同じ位置に存在する。
【００２１】
誤動作防止状態ではプログラムＡ３２やプログラムＢ３３に例え触れたとしても機器制御プログラムの実行は防止され、誤動作防止を解除した状態では、タッチパネル上に配置された機器制御プログラムを実行できるようになる。上記のようにタッチパネルに誤動作を防止するボタン８０を配置する事により、タッチパネル装置の誤動作を防ぐ事ができる。
【産業上の利用可能性】
【００２２】
本発明のタッチパネル装置はユーザへのマンマシンインターフェースの向上を図れるとともに、機器制御プログラムの誤動作を防ぐという特徴を有し、タッチパネルを用いてコマンド入力を行う携帯電話や液晶モニタパソコン、ＰＤＡに対して有用である。
【図面の簡単な説明】
【００２３】
【図１】従来発明におけるタッチパネル装置のブロック構成図
【図２】本発明の実施の形態１におけるタッチパネル装置のブロック構成図
【図３】本発明の実施の形態１におけるタッチパネル装置の操作例を示す図
【図４】本発明の実施の形態１における位置測定の概念図
【図５】本発明の実施の形態１における面積測定の概念図
【図６】本発明の実施の形態１におけるタッチパネル装置のフローチャート
【図７】本発明の実施の形態２におけるタッチパネル装置の使用例を示す図
【図８】本発明の実施の形態３におけるタッチパネル装置の使用例を示す図
【符号の説明】
【００２４】
１    タッチパネル装置
２    ＣＰＵ
３    主記憶メモリ
４    タッチパネル部
５    位置センサ
６    入出力制御部
７    液晶表示部
２０    タッチパネル装置
２１    ＣＰＵ
２２    主記憶メモリ
２３    タッチパネル部
２４    液晶表示部
２５    位置センサ
２６    面積センサ
２７    圧力センサ
２８    温度センサ
２９    入出力制御部
３１    タッチパネル面
３２    プログラムＡボタン
３３    プログラムＢボタン
３４    ユーザの操作
３５    タッチパネル面への設置面積
４０    機器制御プログラムが存在しない場合のタッチパネル面の位置座標
４１    機器制御プログラムＡが存在する場合のタッチパネル面の位置座標
５０    タッチパネル面の最小構成面積センサ
５１    タッチパネル面の接触面積
７０    タッチパネル装置本体
７１    タッチパネル装置本体のセンサ
７２    センサに触れつつ操作するユーザ
８０    誤動作防止ボタン
８１    誤動作防止解除ボタン
【図１】
2006195864.tif 000003
【図２】
2006195864.tif 000004
【図３】
2006195864.tif 000005
【図４】
2006195864.tif 000006
【図５】
2006195864.tif 000007
【図６】
2006195864.tif 000008
【図７】
2006195864.tif 000009
【図８】
2006195864.tif 000010